(57)【要約】【課題】増幅器の利得低下の原因が、増幅器本体の故障によるものか伝送線路の接触不良等によるものかを判別すること。【解決手段】パイロット信号は、パイロット信号レベル検出部１０７で検出され（ＳＴ１０１０）、ＣＰＵ１１２内のメモリ部１１０に記憶される（ＳＴ１０２０）。そして、比較判定部１０９において、現在のパイロット信号のレベルと閾値ＰＴＨ１、ＰＴＨ２が比較され、現在のパイロット信号のレベルがＰＴＨ１以下であった場合（ＳＴ１０５０）、増幅器本体の異常と判断され、その旨の表示（ＳＴ１０９０）および主システム１１３等への通知（ＳＴ１１００）がされ、閾値ＰＴＨ２以下であった場合（ＳＴ１０６０）、伝送線路の接触不良等と判断され、その旨の表示（ＳＴ１０７０）および主システム１１３等への通知（ＳＴ１０８０）がされる。【選択図】　　　図２
2004112133.tif 000002
【特許請求の範囲】
【請求項１】
信号増幅器から所定の伝送線路を介して入力される信号の過去および現在の強度の差に基づいて前記信号増幅器および前記所定の伝送線路の異常を検出する異常検出手段と、
前記信号の過去および現在の強度の差に基づいて前記信号増幅器の異常または前記所定の伝送線路の異常を判別する異常判別手段と、
を有することを特徴とする監視制御装置。
【請求項２】
前記異常検出手段は、
前記信号の過去の強度に応じて閾値を設定する閾値設定手段と、
設定された閾値と前記信号の現在の強度を比較する比較手段と、を有し、
前記比較手段の比較結果に基づいて前記信号増幅器および前記所定の伝送線路の異常を検出する、
ことを特徴とする請求項１記載の監視制御装置。
【請求項３】
前記異常判別手段は、
前記信号の過去の強度に応じて閾値を設定する閾値設定手段と、
設定された閾値と前記信号の現在の強度を比較する比較手段と、を有し、
前記比較手段の比較結果に基づいて前記信号増幅器の異常または前記所定の伝送線路の異常を判別する、
ことを特徴とする請求項１記載の監視制御装置。
【請求項４】
前記異常検出手段の異常検出結果および前記異常判別手段の異常判別結果を表示する表示手段をさらに有することを特徴とする請求項１記載の監視制御装置。
【請求項５】
前記異常検出手段の異常検出結果および前記異常判別手段の異常判別結果を通知する通知手段をさらに有することを特徴とする請求項１記載の監視制御装置。
【請求項６】
前記信号の強度を所定期間記憶する記憶手段をさらに有することを特徴とする請求項１記載の監視制御装置。
【請求項７】
前記記憶手段に記憶された前記信号の強度を通知する通知手段をさらに有することを特徴とする請求項６記載の監視制御装置。
【請求項８】
前記異常判別手段において前記所定の伝送線路の異常と判別された場合に前記所定の伝送線路における漏電を検出する漏電検出手段をさらに有することを特徴とする請求項１記載の監視制御装置。
【請求項９】
前記漏電検出手段の漏電検出結果を表示する表示手段をさらに有することを特徴とする請求項８記載の監視制御装置。
【請求項１０】
前記漏電検出手段の漏電検出結果を通知する通知手段をさらに有することを特徴とする請求項８記載の監視制御装置。
【請求項１１】
前記信号の過去の強度は、前記信号の強度の測定開始時の初期値であることを特徴とする請求項１記載の監視制御装置。
【請求項１２】
前記信号の過去の強度は、前記信号の強度の所定期間における平均値であることを特徴とする請求項１記載の監視制御装置。
【請求項１３】
請求項１から請求項１２のいずれかに記載の監視制御装置を有することを特徴とする基地局装置。
【請求項１４】
信号増幅器から所定の伝送線路を介して入力される信号の過去および現在の強度の差に基づいて前記信号増幅器および前記所定の伝送線路の異常を検出する異常検出ステップと、
前記信号の過去および現在の強度の差に基づいて前記信号増幅器の異常または前記所定の伝送線路の異常を判別する異常判別ステップと、
を有することを特徴とする監視制御方法。
【発明の詳細な説明】
【０００１】
【発明の属する技術分野】
本発明は、無線受信装置の増幅器の利得低下等の異常状態を識別する監視制御装置および監視制御方法に関する。
【０００２】
【従来の技術】
受信装置の増幅器（以下、受信増幅器という）が、主システムから離れた場所に設置される例として、アンテナで受信された無線信号を増幅し、主システムに伝送する増幅器、すなわち、無線受信装置の受信増幅器がある。ここで、主システムとは、受信信号の復調等の主な受信処理を行うシステムのことである。この受信増幅器は、通常、屋外に設置されている受信アンテナの近傍に設置され、受信増幅器が増幅した受信信号は、長いケーブルからなる伝送線路を介して屋内の主システムに伝送される。
【０００３】
このように主システムから離れた位置に設置された受信増幅器の保守は、保守員が設置場所に実際に出向いて動作確認作業を行うことが困難であることから、受信増幅器の動作状態を監視する監視制御装置を主システムの入力段に設け、受信増幅器を遠隔から監視する方式が採用されている。
【０００４】
この監視方式を採用した従来の受信増幅器の監視制御装置は、屋外に設置された受信増幅器から出力されるパイロット信号を検出し、この信号のレベル低下により、受信増幅器の利得低下等の異常を判別する（例えば、特許文献１および特許文献２参照）。
【０００５】
【特許文献１】
特開平０５−１２２１７０号公報
【特許文献２】
特開２００１−２４４８９８号公報
【０００６】
【発明が解決しようとする課題】
実運用上、受信増幅器から出力されるパイロット信号のレベルが低下する異常の発生原因としては、無線受信装置を最初に設置した時の伝送線路の接触不良等による異常発生例が数多い。しかしながら、従来の監視制御装置においては、１つの閾値との大小比較のみで受信増幅器の監視を行っていたため、パイロット信号のレベル低下異常が生じても、異常の有無を判断することしかできず、伝送線路の接触不具合による損失増加異常が発生していたとしても、受信増幅器本体の異常との区別ができないという問題がある。
【０００７】
この異常の原因の判別を行う場合には、保守員が受信増幅器の設置現場へ赴く必要があり、アンテナ直下に設置されている受信増幅器や伝送線路など、極めて人が立ち入る事が困難である場所でのメンテナンス作業が発生してしまう。更に、漏水や地絡不良などによる伝送線路の芯線とグランド間のリークは、時と場合によって、発生したりしなかったりと不安定であるため、この原因の特定を行う場合にも長時間を要すという問題がある。
【０００８】
本発明は、かかる点に鑑みてなされたものであり、受信増幅器の利得低下などの異常を判別する監視制御装置において、利得低下異常の発生原因が、受信増幅器本体の故障によるものか、伝送線路の接触不良等によるものかを判別することができ、また、その結果を容易に確認することができる監視制御装置および監視制御方法を提供することを目的とする。
【０００９】
【課題を解決するための手段】
本発明の監視制御装置は、信号増幅器から所定の伝送線路を介して入力される信号の過去および現在の強度の差に基づいて前記信号増幅器および前記所定の伝送線路の異常を検出する異常検出手段と、前記信号の過去および現在の強度の差に基づいて前記信号増幅器の異常または前記所定の伝送線路の異常を判別する異常判別手段と、を有する構成を採る。
【００１０】
本発明の監視制御装置は、上記の構成において、前記異常検出手段は、前記信号の過去の強度に応じて閾値を設定する閾値設定手段と、設定された閾値と前記信号の現在の強度を比較する比較手段と、を有し、前記比較手段の比較結果に基づいて前記信号増幅器および前記所定の伝送線路の異常を検出する構成を採る。
【００１１】
本発明の監視制御装置は、上記の構成において、前記異常判別手段は、前記信号の過去の強度に応じて閾値を設定する閾値設定手段と、設定された閾値と前記信号の現在の強度を比較する比較手段と、を有し、前記比較手段の比較結果に基づいて前記信号増幅器の異常または前記所定の伝送線路の異常を判別する構成を採る。
【００１２】
これらの構成によれば、異常検出と異常判別の両方の処理を行うので、信号増幅器（例えば、受信増幅器）の利得低下等の異常を検出すると共に、その異常原因が、受信増幅器本体の故障によるものか、伝送線路における不良（漏水、地絡不良、接触不良等）によるものかを判別することができる。
【００１３】
本発明の監視制御装置は、上記の構成において、前記異常検出手段の異常検出結果および前記異常判別手段の異常判別結果を表示する表示手段をさらに有する構成を採る。
【００１４】
この構成によれば、異常検出および異常判別の結果を表示するので、信号増幅器の異常検出の有無または異常原因を容易に確認することができる。
【００１５】
本発明の監視制御装置は、上記の構成において、前記異常検出手段の異常検出結果および前記異常判別手段の異常判別結果を通知する通知手段をさらに有する構成を採る。
【００１６】
この構成によれば、異常検出および異常判別の結果を、例えば、外部装置等に通知するので、信号増幅器または伝送線路が人の立ち入ることが困難な場所に設置されていても、異常が発生した際に、現地に赴かずに異常検出の有無または異常原因を確認することができる。
【００１７】
本発明の監視制御装置は、上記の構成において、前記信号の強度を所定期間記憶する記憶手段をさらに有する構成を採る。
【００１８】
この構成によれば、信号の強度（レベル）を所定期間記憶するので、後々、受信増幅器等の利得低下の経時変化を確認することができ、また、異常の原因が、受信増幅器等の本体の異常によるものか、伝送線路の接触不良等によるものかを、明確に判別することができる。
【００１９】
本発明の監視制御装置は、上記の構成において、前記記憶手段に記憶された前記信号の強度を通知する通知手段をさらに有する構成を採る。
【００２０】
この構成によれば、記憶した信号強度を、例えば、外部装置等に通知するので、信号増幅器または伝送線路が人の立ち入ることが困難な場所に設置されていても、後々、現地に赴かずに信号増幅器の利得低下の経時変化を確認することができる。
【００２１】
本発明の監視制御装置は、上記の構成において、前記異常判別手段において前記所定の伝送線路の異常と判別された場合に前記所定の伝送線路における漏電を検出する漏電検出手段をさらに有する構成を採る。
【００２２】
この構成によれば、伝送線路において異常が発生したと判別された場合に、伝送線路の漏電（例えば、伝送線路の芯線とグランド間のリーク等）を検出するため、異常の発生原因が伝送線路のリークによるものか否かを明確にすることができる。
【００２３】
本発明の監視制御装置は、上記の構成において、前記漏電検出手段の漏電検出結果を表示する表示手段をさらに有する構成を採る。
【００２４】
この構成によれば、伝送線路のリーク検出の結果を表示するので、リークの発生を容易に確認することができる。
【００２５】
本発明の監視制御装置は、上記の構成において、前記漏電検出手段の漏電検出結果を通知する通知手段をさらに有する構成を採る。
【００２６】
この構成によれば、リーク検出の結果を、例えば、外部装置等に通知するので、伝送線路が人の立ち入ることが困難な場所に設置されていても、異常が発生した際に、現地に赴かずにリーク検出の有無を確認することができる。
【００２７】
本発明の監視制御装置は、上記の構成において、前記信号の過去の強度は、前記信号の強度の測定開始時の初期値である構成を採る。
【００２８】
本発明の監視制御装置は、上記の構成において、前記信号の過去の強度は、前記信号の強度の所定期間における平均値である構成を採る。
【００２９】
本発明の基地局装置は、上記いずれかに記載の監視制御装置を有する構成を採る。
【００３０】
この構成によれば、上記と同様の作用効果を有する基地局装置を提供することができる。
【００３１】
本発明の監視制御方法は、信号増幅器から所定の伝送線路を介して入力される信号の過去および現在の強度の差に基づいて前記信号増幅器および前記所定の伝送線路の異常を検出する異常検出ステップと、前記信号の過去および現在の強度の差に基づいて前記信号増幅器の異常または前記所定の伝送線路の異常を判別する異常判別ステップと、を有するようにした。
【００３２】
この方法によれば、異常検出と異常判別の両方の処理を行うので、信号増幅器（例えば、受信増幅器）の利得低下等の異常を検出すると共に、その異常原因が、受信増幅器本体の故障によるものか、伝送線路における不良（漏水、地絡不良、接触不良等）によるものかを判別することができる。
【００３３】
【発明の実施の形態】
例えば、ある増幅器では、信号を増幅する際の増幅利得（ゲイン）が１０ｄＢであれば、増幅器本体が故障し動作不良になった時、信号がこの増幅器を経由することにより、信号の出力が逆に１０ｄＢ低下する場合がある。このとき、通常時の出力、すなわち、正常に信号の増幅を行った増幅器の出力とはレベル差が２０ｄＢにも達することとなる。一方、伝送線路の接触不良やグランドリーク等により増幅器の利得低下が発生した場合、通常時とのレベル差は数ｄＢの大きさである。本発明者は、異常の発生原因によって利得低下量が異なるというこの事実に着目し、監視制御装置に入力される信号のレベル低下量を検出することにより、増幅器の異常の発生原因を判別できることを見出すに至った。
【００３４】
本発明の骨子は、増幅器からケーブル等の伝送線路を介して入力される出力信号の通常時の強度（過去の実績の平均値等）と現時点の強度を比較し、この間に所定値ΔＰ２以上の差があれば、増幅器から伝送線路の間で何らかの異常が発生したと判断し、また、所定値ΔＰ１（ΔＰ１＞ΔＰ２）以上の差があれば増幅器において異常が発生したと判断することである。なお、通常時の強度と現時点の強度の差がΔＰ２からΔＰ１の間に入っているときには、伝送線路において漏水、地絡不良、接触不良等による異常が発生したと判断する。
【００３５】
以下、本発明の実施の形態について、図面を参照して詳細に説明する。
【００３６】
（実施の形態１）
図１は、本発明の実施の形態１に係る監視制御装置を有する無線受信装置の構成を示すブロック図である。
【００３７】
図１に示す無線受信装置は、アンテナ１０１、受信増幅器１０２、伝送線路１０３、監視制御装置１０４、および主システム１１３を有する。また、監視制御装置１０４は、分岐部１０５、フィルタ部１０６、パイロット信号レベル検出部１０７、アナログ／デジタル変換部１０８、およびＣＰＵ１１２を有する。ＣＰＵ１１２は、比較判定部１０９、メモリ部１１０、通信制御部１１１、およびバス１１５を有する。
【００３８】
図１において、アンテナ１０１で受信された信号は、受信増幅器１０２に内蔵された低雑音増幅器前段において、パイロット信号が加算されると共に増幅され、有線の伝送線路（図中の太線）である伝送線路１０３を介して監視制御装置１０４に入力される。
【００３９】
監視制御装置１０４内において、分岐部１０５は、伝送線路１０３から伝送された受信信号を主システム１１３およびフィルタ部１０６へと分岐する。フィルタ部１０６は、分岐部１０５で分岐された受信信号からパイロット信号の帯域の信号のみを通過させ、受信信号とパイロット信号とを分離する。パイロット信号レベル検出部１０７は、フィルタ部１０６を通過したパイロット信号を検出し、直流電圧に変換する。アナログ／デジタル（Ａ／Ｄ）変換部１０８は、検出された直流電圧をデジタル値に変換する。ＣＰＵ１１２は、監視制御装置１０４の総合的制御を行う。
【００４０】
ＣＰＵ１１２内において、メモリ部１１０は、パイロット信号のレベルの初期値、または逐次取り込まれるパイロット信号のレベル値を格納する。比較判定部１０９は、パイロット信号のレベルの初期値と逐次取り込まれるパイロット信号のレベルを比較し、受信したパイロット信号のレベル低下を判定する。通信制御部１１１は、比較判定部１０９において異常が検出された場合、その旨を表示する表示部１１４と、比較判定により特定した異常や、逐次取り込みを行ったパイロット信号のレベル値を外部装置へと伝送する。それぞれの信号のやりとりは、バス１１５を介して行われる。
【００４１】
次いで、上記構成を有する監視制御装置１０４の動作について、図２を用いて説明する。
【００４２】
フィルタ部１０６によって受信信号から分離されたパイロット信号は、パイロット信号レベル検出部１０７で検出され（ＳＴ１０１０）、直流電圧に変換される。この直流電圧は、アナログ／デジタル変換部１０８によってデジタル値に変換され、その値はＣＰＵ１１２によって逐次取り込まれる。
【００４３】
ＣＰＵ１１２によって逐次取り込まれたデジタル値は、メモリ部１１０に逐次格納され、記憶される（ＳＴ１０２０）。また、メモリ部１１０は、パイロット信号レベルの初期値も格納している。外部装置よりデータ要求があった場合には（ＳＴ１０３０）、監視制御装置１０４は、メモリ部１１０に保存しているデータを、通信制御部１１１を介して主システム１１３や外部装置へ伝送する（ＳＴ１０４０）。なお、外部装置からの指示でなく、監視制御装置１０４自身が自発的に、メモリ部１１０で逐次格納している記録を伝送しても良い。
【００４４】
比較判定部１０９において、逐次取り込まれる現在のパイロット信号レベルのデジタル値と上記の初期値を比較し、レベル低下の有無を判断する（ＳＴ１０５０、ＳＴ１０６０）。このレベル低下の判断にあたっては、比較判定部１０９において閾値を複数設け、仕様で定められたレベル低下異常に該当するか否かを判断すると共に、伝送線路１０３における接触不良障害等で起きる数ｄＢレベルの比較的小さなレベル低下であるか、受信増幅器１０２本体の故障である数十ｄＢレベルの比較的大きなレベル低下であるかの判定を行う。
【００４５】
具体的には、ＳＴ１０５０において、信号レベルが閾値ＰＴＨ１以下であった場合は、表示部１１４において「アンプ（増幅器）異常」の表示がなされ（ＳＴ１０９０）、通信制御部１１１を介して主システム１１３や他の外部装置等へこの旨が通知される（ＳＴ１１００）。また、ＳＴ１０６０において、信号レベルが閾値ＰＴＨ２以下であった場合は、表示部１１４において「接触不良」の表示がなされ（ＳＴ１０７０）、また、バス１１５および通信制御部１１１を介して主システム１１３や他の外部装置等へこの旨が通知される（ＳＴ１０８０）。
【００４６】
比較判定部１０９に設定されている閾値ＰＴＨ１、ＰＴＨ２は、メモリ部１１０に格納された初期値または平均値に基づいて設定される。増幅器から出力される信号の最大レベルは一定であるが、その後、信号が経由する伝搬路におけるロスによって信号強度は変わるため、メモリ部１１０に最初に格納された値を閾値設定の基準値として用いる。すなわち、以下の式
ＰＴＨ１＝Ｐ１−ΔＰ１
ＰＴＨ２＝Ｐ１−ΔＰ２
に従い、閾値ＰＴＨ１、ＰＴＨ２を設定する。なお、閾値の信頼性を高めるために、基準値Ｐ１として、初期値の代わりに所定期間の平均値を用いても良い。
【００４７】
図３は、上記構成により実現される監視制御方法の原理を説明するための図である。
【００４８】
図３において、受信信号Ｓ１は、漏水、地絡不良、接触不良等によりレベルが低下した場合を示している。このようなレベル低下の場合、その低下幅は数ｄＢ範囲であることが多く、また、レベルの低下は恒常的な場合もあるし、図３に示したように一時的な場合もある。一方、受信増幅器自体に故障が発生し、受信信号のレベルが低下した場合の受信信号Ｓ２は、図３のように、故障発生時に急激に低下し、その後、レベルが自然に復旧することはまず考えられない。また、その低下幅は、数十ｄＢにも及び、漏水、地絡不良、接触不良等によるレベル低下とは顕著な違いを示す。
【００４９】
そこで、本実施の形態においては、通常時の信号レベルである基準値Ｐ１から数ｄＢの大きさのΔＰ２を減じた値を閾値ＰＴＨ２として、増幅器から伝送線路の間で何らかの異常が発生した場合を検出するための閾値とする。また、基準値Ｐ１から数十ｄＢの大きさのΔＰ１を減じた値を閾値ＰＴＨ１として、伝送線路において漏水、地絡不良、接触不良等による異常が発生した場合を検出するための閾値として用いる。
【００５０】
これにより、例えば、現時点での受信信号のレベルがＰＴＨ１とＰＴＨ２の間に入っている場合は、漏水、地絡不良、接触不良等による異常が発生していると判断することができ、また、現時点での受信信号のレベルがＰＴＨ１以下の場合は、受信増幅器本体において異常が発生していると判断することができる。
【００５１】
このように、本実施の形態によれば、受信増幅器の利得低下などの異常を判別する監視制御装置において、利得低下異常の発生原因が、受信増幅器本体の故障によるものか、伝送線路の接触不良などによる異常によるものかを判別することができ、また、その結果を容易に確認することができる。
【００５２】
また、レベル異常が発生した場合、設置現場に赴いて表示部１１４の表示内容を確認することにより、容易に異常内容を判断できる。外部装置に異常内容が通知される場合には、設置現場に行かなくても、外部からの遠隔操作により原因究明が容易にできる。これにより、受信増幅器を設置した後のメンテナンスにおいて、現在のシステムに比べて極めて使い勝手の良い監視制御装置を提供することができる。
【００５３】
さらに、過去のレベルがログとして記録されているので、異常が発生した後、ログを技術的に解析することにより、詳細な原因追求が可能となる。
【００５４】
（実施の形態２）
図４は、本発明の実施の形態２に係る監視制御装置を有する無線受信装置の構成を示すブロック図である。なお、この無線受信装置は、図１に示した無線受信装置と同様の基本的構成を有しており、同一の構成要素には同一の符号を付し、その説明を省略する。
【００５５】
本実施の形態の特徴は、監視制御装置１０４ａが切替部２０１およびリーク電流検出回路２０２をさらに有することである。
【００５６】
切替部２０１は、外部装置からの命令に従い分岐部１０５から来た受信信号の出力先を、主システム１１３からリーク電流検出回路２０２に切り替える。リーク電流検出回路２０２は、受信信号が入力されてきたとき、伝送線路１０３の芯線およびグランド間のリーク電流を検出する。そして、リーク電流が検出された場合、その旨を表示部１１４に通知し、表示を行うと共に、バス１１５および通信制御部１１１を介して主システム１１３や他の外部装置等へこの旨が通知される。
【００５７】
次いで、上記構成を有する監視制御装置１０４ａの動作について、図５に示すフロー図を用いて説明する。なお、ＳＴ１０１０〜ＳＴ１１００については、図２に示した工程と同一であり、その説明を省略する。
【００５８】
ＳＴ１０６０において、信号レベルがＰＴＨ１以下であった場合は、表示部１１４において「接触不良」の表示がなされ（ＳＴ１０７０）、主システム等へこの旨が通知（ＳＴ１０８０）された後、保守員が外部装置を介して、リーク電流の検出動作に入るように監視制御装置１０４ａに命令を出す。このとき、主システムは、完全に通信が不能な状態となるので、事前に準備が必要である。
【００５９】
保守員より、リーク電流の検出動作に入るように命令があった場合（ＳＴ２０１０）、監視制御装置１０４ａは、伝送線路の異常の原因を追求するため、切替部２０１を動作させ、受信信号の流れをリーク電流検出回路２０２側に切り替えることにより（ＳＴ２０２０）、リーク電流検出の試験を行う（ＳＴ２０３０）。リーク電流検出回路２０２で、伝送線路の芯線およびグランド間のリーク電流が検出されれば、伝送線路の異常原因が、漏水や地絡不良などによるものであることが断定できる。そして、この結果を表示部１１４に出力し、表示を行い、また、通信制御部１１１を介して主システム１１３または外部装置へその旨を通知する（ＳＴ２０４０）。
【００６０】
このように、本実施の形態によれば、伝送線路の芯線とグランド間のリーク電流を検出する回路を備えるため、伝送線路の異常が、漏水や地絡不良などによるものであることを明確にすることができる。
【００６１】
本発明に係る監視制御装置は、移動体通信システムにおける基地局装置に搭載することも可能であり、これにより上記と同様の作用を有する基地局装置を提供することができる。
【００６２】
なお、ここでは、本発明に係る監視制御装置が、無線受信装置に搭載される場合を例にとって説明したが、これに限定されず、他の通信システムにも適用できる。
【００６３】
【発明の効果】
以上説明したように、本発明によれば、受信増幅器の利得低下などの異常を判別する監視制御装置において、利得低下異常の発生原因が、受信増幅器本体の故障によるものか、伝送線路の接触不良などによる異常によるものかを判別することができ、また、その結果を容易に確認することができる。
【図面の簡単な説明】
【図１】本発明の実施の形態１に係る監視制御装置を有する無線受信装置の構成を示すブロック図
【図２】本発明の実施の形態１に係る監視制御装置の動作を示すフロー図
【図３】本発明の実施の形態１に係る監視制御方法の原理を説明するための図
【図４】本発明の実施の形態２に係る監視制御装置を有する無線受信装置の構成を示すブロック図
【図５】本発明の実施の形態２に係る監視制御装置の動作を示すフロー図
【符号の説明】
１０１　アンテナ
１０２　受信増幅器
１０３　伝送線路
１０４、１０４ａ　監視制御装置
１０５　分岐部
１０６　フィルタ部
１０７　パイロット信号レベル検出部
１０８　アナログ／デジタル変換部
１０９　比較判定部
１１０　メモリ部
１１１　通信制御部
１１２　ＣＰＵ
１１３　主システム
１１４　表示部
２０１　切替部
２０２　リーク電流検出回路
【図１】
2004112133.tif 000003
【図２】
2004112133.tif 000004
【図３】
2004112133.tif 000005
【図４】
2004112133.tif 000006
【図５】
2004112133.tif 000007